(57)【特許請求の範囲】
【請求項１】
回路基板に実装されている複数の電気部品のうちの任意の１つを検査対象体とする電気的検査時において当該検査対象体についてのガーディング候補点を特定可能に構成された検査装置であって、
前記複数の電気部品についての部品番号、電気的諸元、および一対の端子の各端子番号を含む部品情報、並びに前記各電気部品間の配線情報が記憶された記憶部と、
前記検査対象体の前記部品番号を入力する操作部と、
前記検査対象体の前記部品番号および前記配線情報に基づいて当該検査対象体と並列関係にある回り込み回路を探索する回り込み回路探索処理、前記探索した回り込み回路が複数あるときに前記部品情報に基づいて当該各回り込み回路のインピーダンスを算出するインピーダンス算出処理、および前記探索した各回り込み回路に複数の前記電気部品が含まれているときに前記電気的諸元から求まる当該各電気部品のインピーダンスに基づいてガーディング候補点を特定するガーディング候補点特定処理を実行する処理部とを備えている検査装置。
【請求項２】
前記処理部は、前記ガーディング候補点特定処理において、前記各回り込み回路について前記検査対象体の前記各端子に接続されている２つの電気部品のうちのインピーダンスの小さい一方の電気部品が接続されている当該端子を電流計接続点として特定すると共に、前記一方の電気部品における前記検査対象体に非接続の端子を前記ガーディング候補点として特定する請求項１記載の検査装置。
【請求項３】
前記電流計接続点に所定の電流を供給する電流供給部と、
前記検査対象体の両端間電圧を測定する電圧測定部と、
入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている請求項２記載の検査装置。
【請求項４】
前記検査対象体における前記一方の電気部品に非接続の端子に所定の電流を供給する電流供給部と、
前記電流計接続点を流れる電流を測定する電流測定部と、
前記検査対象体の両端間電圧を測定する電圧測定部と、
入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている請求項２記載の検査装置。
【請求項５】
前記検査対象体における前記一方の電気部品に非接続の端子に所定の電圧を供給する電圧供給部と、
前記電流計接続点を流れる電流を測定する電流測定部と、
入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている請求項２記載の検査装置。
【請求項６】
前記電流計接続点に所定の電圧を供給する電圧供給部と、
前記電流計接続点を流れる電流を測定する電流測定部と、
入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている請求項２記載の検査装置。
【請求項７】
前記処理部は、前記各回り込み回路についての前記ガーディング候補点を当該各回り込み回路の前記インピーダンスの小さい順に並べ替える並べ替え処理を実行する請求項１から６のいずれかに記載の検査装置。
【請求項８】
前記処理部は、前記各回り込み回路についての前記ガーディング候補点を当該各回り込み回路の前記インピーダンスの大きさに基づいて並べ替えて出力する出力処理を実行する請求項１から６のいずかに記載の検査装置。
【請求項９】
表示部を備え、
前記処理部は、前記出力処理において前記並べ替えた結果を表示部に表示させる請求項８記載の検査装置。
【発明の詳細な説明】
【技術分野】
【０００１】
本発明は、回路基板に実装されている複数の電気部品のうちの任意の１つを検査対象体とする電気的特性検査時においてその検査対象体についてのガーディング点を特定可能に構成された検査装置に関するものである。
【背景技術】
【０００２】
この種の検査装置として、本願発明者は、特開平２−１０３４７５号公報に回路基板検査装置を既に開示している。この検査装置では、ガーディングしようとするガード対象部品となる素子（以下、検査対象体ともいう）の例えばＨｉｇｈピンのピン番がキーボードから入力されると、ＣＰＵは、まず、その測定ピンと同一のライン上にある、すなわちその測定ピンに電気的に接続されている他の素子の情報を第１のメモリ（被検査プリント基板に実装されている電気部品の情報が記憶されているメモリ）からピックアップして、それを例えば第２のメモリに記憶させる処理を行う。次いで、ＣＰＵは、ピックアップされた各素子のインピーダンスを計算する。続いて、ＣＰＵは、各素子をインピーダンスの低い順に並べ替えた上で、そのリストをピンコネクションチャートとしてＣＲＴに表示させる。このように各素子をインピーダンスの低い順に並べ替えるのは、一般にインピーダンスの低い素子の方が検査対象体に対する回り込みの影響が大きいと考えられることによる。したがって、オペレータは、ＣＲＴに表示されているガード候補ピン（以下、ガーディング候補点ともいう）を例えば上位のものから順にグランド電位に落として、このガーディング候補点を含む回り込み経路への電流の流入を阻止した状態で検査対象体のインピーダンス測定を行い、そのインピーダンスが正確な値に近くなったときに、そのガーディング候補点を正式にガードピン（ガーディング点）として登録する。この結果、ガードピン設定（ガーディング点特定）作業がより短時間のうちに行われる。
【特許文献１】特開平２−１０３４７５号公報（第３頁、第１，３図）
【発明の開示】
【発明が解決しようとする課題】
【０００３】
ところで、上記した従来の検査回路では、検査対象体に対する各回り込み経路（検査対象体と並列関係にある回り込み回路）の影響を測定対象体の測定ピンに電気的に接続されている他の素子自体のインピーダンスに基づいて簡易的に判別している。しかしながら、検査対象体に対する各回り込み回路の影響については、他の素子を含む回り込み回路全体のインピーダンスに基づいて判別するのが正確であり、また正確な情報に基づいて判別できる結果、より短時間でガーディング点を特定することができる。したがって、経路（回り込み回路）全体のインピーダンスに基づいて、ガーディング候補点を並べ替えるのが好ましい。
【０００４】
また、上記した従来の検査回路では、検査対象体に電気的に接続されている他の電気部品の測定ピンをガーディング候補点として表示している。しかしながら、検査対象体に対して影響を与える各回り込み経路（検査対象体と並列関係にある回り込み回路）中には、複数の素子（電気部品）が通常含まれていて、ガーディング候補点となるべき点がそれぞれに複数存在している。この場合、各回り込み経路において、その中のいずれのガーディング候補点を最終的なガーディング点として選択したとしても、各回り込み経路への電流の流入を阻止することはできるものの、その一方で、いずれのガーディング候補点を最終的なガーディング点として選択するかに応じて、ガーディング点の電位をガーディング用の電位（上記の従来例ではグランド電位）に維持するためにガーディング回路（ガーディング部）によってガーディング点を経由して回り込み経路に供給される電流の電流値が大きく変化する。この場合、回り込み経路への供給電流の電流値を低く抑えることで、例えば定格出力電流の小さい安価な電子部品を使用してガーディング回路を構成できるため、ガーディング回路のコストを低減できる点で好ましい。したがって、回り込み経路への供給電流の電流値を考慮して、この供給電流が最も低くなるガーディング候補点を出力する（表示させる）ようにするのがより好ましい。
【０００５】
本発明は、かかる解決すべき課題に鑑みてなされたものであり、低コストで、しかもガーディング点特定作業を正確、かつ短時間で行い得る検査装置を提供することを主目的とする。
【課題を解決するための手段】
【０００６】
上記目的を達成すべく請求項１記載の検査装置は、回路基板に実装されている複数の電気部品のうちの任意の１つを検査対象体とする電気的検査時において当該検査対象体についてのガーディング候補点を特定可能に構成された検査装置であって、前記複数の電気部品についての部品番号、電気的諸元、および一対の端子の各端子番号を含む部品情報、並びに前記各電気部品間の配線情報が記憶された記憶部と、前記検査対象体の前記部品番号を入力する操作部と、前記検査対象体の前記部品番号および前記配線情報に基づいて当該検査対象体と並列関係にある回り込み回路を探索する回り込み回路探索処理、前記探索した回り込み回路が複数あるときに前記部品情報に基づいて当該各回り込み回路のインピーダンスを算出するインピーダンス算出処理、および前記探索した各回り込み回路に複数の前記電気部品が含まれているときに前記電気的諸元から求まる当該各電気部品のインピーダンスに基づいてガーディング候補点を特定するガーディング候補点特定処理を実行する処理部とを備えている。
【０００７】
また、請求項２記載の検査装置は、請求項１記載の検査装置において、前記処理部は、前記ガーディング候補点特定処理において、前記各回り込み回路について前記検査対象体の前記各端子に接続されている２つの電気部品のうちのインピーダンスの小さい一方の電気部品が接続されている当該端子を電流計接続点として特定すると共に、前記一方の電気部品における前記検査対象体に非接続の端子を前記ガーディング候補点として特定する。
【０００８】
また、請求項３記載の検査装置は、請求項２記載の検査装置において、前記電流計接続点に所定の電流を供給する電流供給部と、前記検査対象体の両端間電圧を測定する電圧測定部と、入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている。
【０００９】
また、請求項４記載の検査装置は、請求項２記載の検査装置において、前記検査対象体における前記一方の電気部品に非接続の端子に所定の電流を供給する電流供給部と、前記電流計接続点を流れる電流を測定する電流測定部と、前記検査対象体の両端間電圧を測定する電圧測定部と、入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている。
【００１０】
また、請求項５記載の検査装置は、請求項２記載の検査装置において、前記検査対象体における前記一方の電気部品に非接続の端子に所定の電圧を供給する電圧供給部と、前記電流計接続点を流れる電流を測定する電流測定部と、入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている。
【００１１】
また、請求項６記載の検査装置は、請求項２記載の検査装置において、前記電流計接続点に所定の電圧を供給する電圧供給部と、前記電流計接続点を流れる電流を測定する電流測定部と、入力端子に印加されている電圧と同じ電圧を出力端子から出力する機能を有し、当該入力端子が前記電流計接続点に接続されると共に当該出力端子が前記ガーディング候補点に接続可能に構成されたガーディング部とを備えている。
【００１２】
また、請求項７記載の検査装置は、請求項１から６のいずれかに記載の検査装置において、前記処理部は、前記各回り込み回路についての前記ガーディング候補点を当該各回り込み回路の前記インピーダンスの小さい順に並べ替える並べ替え処理を実行する。
【００１３】
また、請求項８記載の検査装置は、請求項１から６のいずれかに記載の検査装置において、前記処理部は、前記各回り込み回路についての前記ガーディング候補点を当該各回り込み回路の前記インピーダンスの大きさに基づいて並べ替えて出力する出力処理を実行する。
【００１４】
また、請求項９記載の検査装置は、請求項８記載の検査装置において、前記処理部は、前記出力処理において前記並べ替えた結果を表示部に表示させる。
【発明の効果】
【００１５】
請求項１記載の検査装置では、処理部が、検査対象体と並列関係にある回り込み回路を探索すると共に、回り込み回路が複数あるときに、探索した回り込み回路のインピーダンスを算出し、さらに探索した各回り込み回路に複数の電気部品が含まれているときに電気的諸元から求まる電気部品のインピーダンスに基づいてガーディング候補点を回り込み回路毎に特定する。したがって、この検査装置によれば、例えば、インピーダンスが最も小さい回り込み回路のガーディング候補点を選択することで、検査対象体の検査に対して一層多くの影響を与える回り込み回路のガーディング候補点を正確、かつ短時間で特定することができる。また、この特定したガーディング候補点にガーディング電圧を供給することにより、この特定したガーディング候補点を含む回り込み回路への所定の電流の流入（回り込み）を阻止できるため、検査対象体の電気的特性をより正確、かつ短時間で測定することができ、ひいては回路基板に対する検査を正確、かつ短時間で実行することができる。
【００１６】
また、探索した各回り込み回路に複数の電気部品が含まれているときに、電気部品のインピーダンスに基づいてガーディング候補点を特定することにより、ガーディング候補点にガーディング電圧を供給する（ガーディング候補点をガーディング電圧に維持する）ガーディング部の負荷がより軽くなる点をガーディング候補点として特定することができる。このため、例えば定格出力電流（定格シンク／ソース電流）の小さい安価な電子部品（一例として演算増幅器）を用いてガーディング部を構成できる結果、ガーディング部のコストを低減することができ、ひいては検査装置全体のコストを低減することができる。
【００１７】
請求項２記載の検査装置によれば、処理部が、ガーディング候補点特定処理において、各回り込み回路について検査対象体の各端子に接続されている２つの電気部品のうちのインピーダンスの小さい一方の電気部品が接続されている検査対象体の端子を電流計接続点として特定すると共に、一方の電気部品における検査対象体に非接続の端子をガーディング候補点として特定することにより、ガーディング候補点にガーディング電圧を供給する（ガーディング候補点をガーディング電圧に維持する）ガーディング部の負荷が最も軽くなる点、つまりガーディング点を含む回り込み回路へのガーディング部からの供給電流の電流値を常に最小にできる点をガーディング候補点として特定することができる。
【００１８】
請求項３記載の検査装置によれば、電流計接続点に所定の電流を供給する電流供給部と、検査対象体の両端間電圧を測定する電圧測定部と、入力端子に印加されている電圧と同じ電圧を出力端子から出力する機能を有し、その入力端子が電流計接続点に接続されると共にその出力端子がガーディング候補点に接続可能に構成されたガーディング部とを備えたことにより、処理部によって特定された各回り込み回路の電流計接続点およびガーディング候補点についての情報に基づき、他の装置を別途用意することなく、検査装置単体で、電流供給部から検査対象体に対して所定の電流を供給し、かつ検査対象体の電気的特性の測定に与える影響のより大きな回り込み回路へのこの所定の電流の回り込みを防止しつつ、この所定の電流の電流値と電圧測定部で測定した検査対象体の両端間電圧とに基づいて、所定の電流の供給時における検査対象体の電気的特性を測定することができる。また、電流供給部で生成された所定の電流をより多く検査対象体に供給することができる結果、電流供給部によって生成された定電流がすべて検査対象体に流れるとみなしたとしても、検査対象体の電気的特性をより正確に測定することができる。このため、検査対象体に流れる電流を測定するための電流計を備えることなく簡易に構成することができる結果、検査装置のコストを十分に低減することができる。
【００１９】
請求項４記載の検査装置によれば、検査対象体における一方の電気部品に非接続の端子に所定の電流を供給する電流供給部と、電流計接続点を流れる電流を測定する電流測定部と、検査対象体の両端間電圧を測定する電圧測定部と、入力端子に印加されている電圧と同じ電圧を出力端子から出力する機能を有し、その入力端子が電流計接続点に接続されると共にその出力端子がガーディング候補点に接続可能に構成されたガーディング部とを備えたことにより、処理部によって特定された各回り込み回路の電流計接続点およびガーディング候補点についての情報に基づき、他の装置を別途用意することなく、検査装置単体で、電流供給部から検査対象体に対して所定の電流を供給し、かつ検査対象体の電気的特性の測定に与える影響のより大きな回り込み回路へのこの所定の電流の回り込みを防止しつつ、電流測定部で測定した電流の電流値と電圧測定部で測定した検査対象体の両端間電圧に基づいて、所定の電流の供給時における検査対象体の電気的特性を測定することができる。
【００２０】
請求項５記載の検査装置によれば、検査対象体における一方の電気部品に非接続の端子に所定の電圧を供給する電圧供給部と、電流計接続点を流れる電流を測定する電流測定部と、入力端子に印加されている電圧と同じ電圧を出力端子から出力する機能を有し、その入力端子が電流計接続点に接続されると共にその出力端子がガーディング候補点に接続可能に構成されたガーディング部とを備えたことにより、処理部によって特定された各回り込み回路の電流計接続点およびガーディング候補点についての情報に基づき、他の装置を別途用意することなく、検査装置単体で、電圧供給部から検査対象体に対して所定の電圧を供給（印加）し、かつ検査対象体の電気的特性の測定に与える影響のより大きな回り込み回路への電流の回り込みを防止しつつ、電流測定部で測定した電流の電流値と電圧供給部から供給されている所定の電圧の電圧値とに基づいて、電圧計（電圧測定部）を用いない簡易な構成でありながら、所定の電圧供給時（印加時）における検査対象体の電気的特性を確実に測定することができる。
【００２１】
請求項６記載の検査装置によれば、電流計接続点に所定の電圧を供給する電圧供給部と、電流計接続点を流れる電流を測定する電流測定部と、入力端子に印加されている電圧と同じ電圧を出力端子から出力する機能を有し、その入力端子が電流計接続点に接続されると共にその出力端子がガーディング候補点に接続可能に構成されたガーディング部とを備えたことにより、処理部によって特定された各回り込み回路の電流計接続点およびガーディング候補点についての情報に基づき、他の装置を別途用意することなく、検査装置単体で、電圧供給部から検査対象体に対して所定の電圧を供給（印加）し、かつ検査対象体の電気的特性の測定に与える影響のより大きな回り込み回路への電流の回り込みを防止しつつ、電流測定部で測定した電流の電流値と電圧供給部から供給されている所定の電圧の電圧値とに基づいて、電圧計（電圧測定部）を用いない簡易な構成でありながら、所定の電圧供給時（印加時）における検査対象体の電気的特性を確実に測定することができる。
【００２２】
請求項７記載の検査装置によれば、処理部が各回り込み回路についてのガーディング候補点を各回り込み回路のインピーダンスの小さい順に並べ替える並べ替え処理を実行することにより、検査対象体への影響のより大きな回り込み回路に含まれているガーディング候補点を明確に特定することができる。
【００２３】
請求項８および９記載の検査装置によれば、処理部が各回り込み回路についてのガーディング候補点をインピーダンスの大きさに基づいて並べ替えて、例えば表示部に表示させるなどして出力することにより、この出力されるガーディング候補点を確認する（表示させる場合には視認する）ことができ、これにより、ガーディング候補点を明確に特定することができる。
【発明を実施するための最良の形態】
【００２４】
以下、添付図面を参照して、本発明に係る検査装置の最良の形態について説明する。
【００２５】
最初に、検査装置１の構成について説明する。
【００２６】
検査装置１は、図１に示すように、電流供給部２、ガーディング部３、電圧測定部４、記憶部５、操作部６、表示部７、および処理部８を備え、所定の電流（例えば定電流Ｉ１）の供給時における検査対象体２２の電気的特性を測定可能に構成されている。電流供給部２は、処理部８の制御下で、所定の電流（例えば、電流値が既知の定電流Ｉ１）を生成する定電流回路として構成されている。また、電流供給部２は、生成した定電流Ｉ１を出力プローブ１１とリターンプローブ１２との間に出力する。ガーディング部３は、一例として、同図に示すように、演算増幅器３ａを用いたボルテージフォロワ回路で構成されている。この構成により、ガーディング部３は、入力端子（演算増幅器３ａの非反転端子）に印加されている電圧と同じ電圧を出力端子（演算増幅器３ａの出力端子）から出力する機能を有している。また、ガーディング部３は、その入力端子が出力プローブ１１に接続されて、出力プローブ１１から出力される電圧Ｖ１と同じ電圧値のガーディング電圧Ｖ２をガーディングプローブ１３に出力する。
【００２７】
電圧測定部４は、一対の電圧検出プローブ１４，１５間の電位差（電圧Ｖ３）を検出すると共に、検出した電圧Ｖ３の電圧値Ｄ１を出力する。記憶部５は、例えばＲＯＭおよびＲＡＭ等の半導体メモリで構成されて、回路基板２１に実装されている複数の電気部品すべてについての部品番号Ｄｐ、電気的諸元、および一対の端子の各端子番号を含む部品情報Ｄ２、並びに各電気部品間の配線情報Ｄ３を記憶する。ここで、配線情報Ｄ３とは、いわゆるネットリストとして機能するものであり、すべての電気部品のすべての端子の各々にどの電気部品のどの端子が配線パターンのみを介して接続（直接接続）されているかを示す接続情報である。また、記憶部５は、処理部８の動作を規定するプログラム、および電流供給部２が生成する定電流Ｉ１の既知の電流値を記憶する。
【００２８】
操作部６は、例えばキーボードで構成されて、回路基板に実装されている複数の電気部品のうちの任意の１つを検査対象体２２として、この検査対象体２２の部品番号Ｄｐを入力可能に構成されている。また、操作部６は、処理部８に対して検査対象体２２の電気的特性（例えばインピーダンスＺ）を測定させるための測定指示Ｄｍを入力可能に構成されている。表示部７は、例えばＬＣＤ（液晶ディスプレイ）を用いて構成されて、処理部８によって出力された出力情報Ｄｏ（例えば電流計接続点やガーディング候補点となる端子番号）を視認可能に表示する。なお、ＬＣＤに代えて、ＣＲＴなどで表示部７を構成することもできる。また、プリンタなどの印字装置を用いて表示部７を構成することもできる。処理部８は、ＣＰＵや内部メモリ（いずれも図示せず）を備えて構成されて、記憶部５に記憶されているプログラムに従い、後述するガーディング候補点出力処理（回り込み回路探索処理、インピーダンス算出処理、ガーディング候補点特定処理、および出力処理）を実行する。また、処理部８は、操作部６から測定指示Ｄｍを入力したときには、測定処理を実行して、検査対象体２２のインピーダンスＺを測定する。
【００２９】
次に、検査装置１の動作について、処理部８によるガーディング候補点出力処理および測定処理を中心にして説明する。
【００３０】
検査装置１では、操作部６に対する操作により、操作部６から処理部８に検査対象体とする電気部品（検査対象体２２）の部品番号Ｄｐ（一例として「Ｐ０」）が入力されたときには、処理部８は、図３に示すガーディング候補点出力処理を実行する。
【００３１】
このガーディング候補点出力処理では、処理部８は、まず、回り込み回路探索処理を実行して、検査対象体２２の部品番号Ｄｐ（「Ｐ０」）と、記憶部５に記憶されている部品情報Ｄ２および配線情報Ｄ３とに基づいて、検査対象体２２と並列関係にある（並列接続されている）回り込み回路を探索する（ステップ１０１）。なお、ガーディング候補点出力処理の理解を容易にするため、以下では、一例として、図１に示すように、回路基板に実装されている電気部品は抵抗のみであるとして説明する。また、同図において、各抵抗のシンボルの下側に付した数値は抵抗値を現している。なお、以下に参照する図５〜７でも同様とする。この回り込み回路探索処理では、処理部８は、部品番号Ｄｐ（「Ｐ０」）によって特定された検査対象体２２としての抵抗（以下、「抵抗Ｐ０」ともいう）の一対の端子（端子番号Ｐ０−１，Ｐ０−２）のうちの一方の端子（例えば端子番号Ｐ０−１）が一端となり、他方の端子（例えば端子番号Ｐ０−２）が他端となる回り込み回路の回路数を配線情報Ｄ３に基づいてすべて探索する。また、処理部８は、回り込み回路を探索する都度、探索した回り込み回路についての回路情報（例えば、端子番号Ｐ０−１から端子番号Ｐ０−２に向けて順次直列に接続されている複数の電気部品の部品番号およびその端子番号を特定可能な記号をこの順に並べたもの）と、その回り込み回路を特定する識別情報とを組にして記憶部５の所定領域に順次記憶させる。本例では、一例として、電気部品の部品番号およびその端子番号を特定可能な記号として、各電気部品の部品番号（「Ｐ０」，「Ｐ１」，「Ｐ２」，・・）と、端子番号を示す数値（１または２）とを、記号「−」で結合したものを用いる。
【００３２】
この際に、処理部８は、検査対象体２２（一例として抵抗Ｐ０）に対して他の電気部品（抵抗Ｐ１〜Ｐ９）が図１に示すように接続されている場合、回り込み回路探索処理を実行することにより、まず、検査対象体２２（抵抗Ｐ０）の一方の端子（端子番号Ｐ０−１）に接続されている端子（端子番号Ｐ１−１）を探索し、次いで、この端子（端子番号Ｐ１−１）を有する抵抗Ｐ１の他の端子（端子番号Ｐ１−２）に接続されている端子（端子番号Ｐ２−１）を探索し、続いて、この端子（端子番号Ｐ２−１）を有する抵抗Ｐ２の他の端子（端子番号Ｐ２−２）に接続されている端子（端子番号Ｐ３−１）を探索するという処理を、検査対象体２２の他方の端子（端子番号Ｐ０−２）に到達するまで繰り返す。これにより、処理部８は、抵抗Ｐ１を含む回り込み回路については、図２に示すように、その回路情報「Ｐ０−１，Ｐ１−１，Ｐ１−２，Ｐ２−１，Ｐ２−２，Ｐ３−１，Ｐ３−２，Ｐ０−２」を識別情報「ＬＰ１」と共に記憶部５の所定領域に記憶する。同様にして、処理部８は、抵抗Ｐ４を含む回り込み回路についての回路情報「Ｐ０−１，Ｐ４−１，・・・，Ｐ５−２，Ｐ０−２」を識別情報「ＬＰ２」と共に記憶部５の所定領域に記憶し、抵抗Ｐ６を含む回り込み回路についての回路情報「Ｐ０−１，Ｐ６−１，・・・，Ｐ９−２，Ｐ０−２」を識別情報「ＬＰ３」と共に記憶部５の所定領域に記憶する。
【００３３】
次いで、処理部８は、回り込み回路探索処理において探索した回り込み回路の回路数をカウントする（ステップ１０２）。この結果、回路数が０個のとき（回り込み回路が存在しないとき）には、処理部８は、インピーダンス算出処理（ステップ１０３）およびガーディング候補点特定処理（ステップ１０４）を実行せずに出力処理（ステップ１０５）に移行して、出力情報Ｄｏとして例えば「ガーディング不要」の文字列を示す情報を表示部７に出力して、表示部７に「ガーディング不要」の文字を表示させた後に、ガーディング候補点出力処理を終了する。
【００３４】
一方、ステップ１０２でのカウントの結果、回路数が複数個のときには、処理部８は、インピーダンス算出処理（ステップ１０３）およびガーディング候補点特定処理（ステップ１０４）を実行した後に出力処理（ステップ１０５）に移行し、各回り込み回路についてのガーディング候補点（ガーディングプローブ１３を接続する端子）および電流計接続点（出力プローブ１１を接続する端子）をインピーダンス順に表示部７に表示させて、ガーディング候補点出力処理を終了する。他方、回路数が１個のときには、処理部８は、インピーダンス算出処理（ステップ１０３）を実行せずに、ガーディング候補点特定処理（ステップ１０４）を実行した後に出力処理（ステップ１０５）に移行し、１つの回り込み回路についてのガーディング候補点を表示部７に表示させて、ガーディング候補点出力処理を終了する。
【００３５】
本例では、上記したように識別情報（ＬＰ１，ＬＰ２，ＬＰ３）が付された３つの回り込み回路（以下、「回り込み回路ＬＰ１」、「回り込み回路ＬＰ２」、「回り込み回路ＬＰ３」ともいう）が存在しているため、処理部８は、ステップ１０２でのカウント後に、インピーダンス算出処理を実行する（ステップ１０３）。このインピーダンス算出処理では、処理部８は、回り込み回路探索処理において探索した各回り込み回路ＬＰ１，ＬＰ２，ＬＰ３についての全体としてのインピーダンスを、各回り込み回路ＬＰ１，ＬＰ２，ＬＰ３の回路情報（図２参照）と記憶部５に記憶されている部品情報Ｄ２とに基づいて算出し、算出したインピーダンスを各回り込み回路に対応させて図２に示すように記憶部５に記憶させる。
【００３６】
具体的に、回り込み回路ＬＰ１を例に挙げて説明すると、処理部８は、図２に示す回り込み回路ＬＰ１の回路情報に基づいて、検査対象体２２の一方の端子（端子番号Ｐ０−１）と他方の端子（端子番号Ｐ０−２）との間に、抵抗Ｐ１，Ｐ２，Ｐ３がこの順に直列に接続されて回り込み回路ＬＰ１が構成されていると判別する。次いで、処理部８は、部品情報Ｄ２の中から各抵抗Ｐ１，Ｐ２，Ｐ３についての電気的諸元（本例ではそれぞれ抵抗値１００Ω，１００Ω，２００Ω）を読み出し、抵抗Ｐ１，Ｐ２，Ｐ３の各抵抗値を加算することにより、回り込み回路ＬＰ１のインピーダンス（抵抗値：４００Ω）を算出する。続いて、処理部８は、算出した回り込み回路ＬＰ１のインピーダンスを、図２に示すように、回り込み回路ＬＰ１に対応させて（識別情報ＬＰ１に対応させて）、記憶部５に記憶させる。また、処理部８は、他の回り込み回路ＬＰ２，ＬＰ３についても同様にしてインピーダンスを算出して記憶部５に記憶させる。本例では、抵抗Ｐ４，Ｐ５の各抵抗値が４００Ω，１００Ωであり、抵抗Ｐ６，Ｐ７，Ｐ８，Ｐ９の各抵抗値が５Ω，５Ω，８Ω，１０Ωであるため、回り込み回路ＬＰ２，ＬＰ３の各インピーダンスとして、５００Ωおよび２８Ωをそれぞれ記憶部５に記憶させる。
【００３７】
次いで、処理部８は、ガーディング候補点特定処理を実行する（ステップ１０４）。このガーディング候補点特定処理では、処理部８は、まず、各回り込み回路ＬＰ１，ＬＰ２，ＬＰ３について、複数の電気部品（本例では抵抗）でそれぞれ構成されているか否かを判別する。この結果、回り込み回路が１つの抵抗で構成されているときには、この回り込み回路に対してはガーディング候補点の設定を行うことができない。このため、処理部８は、ガーディング候補点特定処理の結果として、「候補点なし」を示す情報を回り込み回路の識別番号に対応させて記憶部５に記憶させる。
【００３８】
一方、回り込み回路が複数の抵抗で構成されているときには、この回り込み回路に対してはガーディング候補点の設定が可能である。このため、処理部８は、電流計接続点およびガーディング候補点の特定を行い、特定した電流計接続点の情報（出力プローブ１１を接続する端子番号）およびガーディング候補点の情報（ガーディングプローブ１３を接続する端子番号）を回り込み回路に対応させて記憶部５に記憶させる。
【００３９】
具体的に、回り込み回路ＬＰ１を例に挙げて説明すると、処理部８は、図２に示す回り込み回路ＬＰ１の回路情報に基づき、検査対象体２２の各端子（端子番号Ｐ０−１，Ｐ０−２）に接続されている２つの電気部品（抵抗Ｐ１，Ｐ３）のうちのインピーダンスの小さい一方の電気部品（本例では抵抗Ｐ１）が接続されている端子（端子番号Ｐ０−１）を電流計接続点として特定する。次いで、処理部８は、上記のインピーダンスの小さい一方の電気部品（抵抗Ｐ１）における検査対象体２２に非接続の（接続されていない）端子（端子番号Ｐ１−２）をガーディング候補点として特定する。続いて、処理部８は、電流計接続点の情報（端子番号Ｐ０−１）およびガーディング候補点の情報（端子番号Ｐ１−２）を、図２に示すように回り込み回路ＬＰ１の識別情報（「ＬＰ１」）に対応させて記憶部５に記憶させる。
【００４０】
また、処理部８は、他の回り込み回路ＬＰ２，ＬＰ３についても同様にして、電流計接続点およびガーディング候補点の特定を行う。本例では、回り込み回路ＬＰ２については、抵抗Ｐ５の方が抵抗Ｐ４よりもインピーダンスが小さいため、処理部８は、検査対象体２２の端子（端子番号Ｐ０−２）を電流計接続点として、また抵抗Ｐ５の端子（端子番号Ｐ５−１）をガーディング候補点としてそれぞれ特定して、これらの情報を、図２に示すように回り込み回路の識別情報ＬＰ２に対応させて記憶部５に記憶させる。また、回り込み回路ＬＰ３については、抵抗Ｐ６の方が抵抗Ｐ９よりもインピーダンスが小さいため、処理部８は、検査対象体２２の端子（端子番号Ｐ０−１）を電流計接続点として、また抵抗Ｐ６の端子（端子番号Ｐ６−２）をガーディング候補点としてそれぞれ特定して、これらの情報を、図２に示すように回り込み回路の識別情報ＬＰ３に対応させて記憶部５に記憶させる。
【００４１】
最後に、処理部８は、出力処理を実行する（ステップ１０５）。この出力処理では、処理部８は、まず、各回り込み回路についての電流計接続点およびガーディング候補点についての情報を記憶部５から読み出すと共に、各回り込み回路のインピーダンスの大きさに基づいて並べ替える（本例ではインピーダンスの小さい順に並べ替える）並べ替え処理を実行する。次いで、処理部８は、並べ替えられた電流計接続点およびガーディング候補点についての情報をインピーダンスと共に、検査対象体２２の情報も含めて出力情報Ｄｏとして表示部７に出力する。これにより、表示部７には、図４に示すように、インピーダンスの小さい順（回り込み回路ＬＰ３，ＬＰ１，ＬＰ２の順）に、すなわち、検査対象体２２の電気的特性を測定する際の定電流Ｉ１の流入（回り込み）の大きい順に、各回り込み回路ＬＰ１〜ＬＰ３についての電流計接続点、ガーディング候補点およびインピーダンスが、検査対象体２２の情報と共に表示される。なお、ガーディング候補点が存在しない回り込み回路については、この回り込み回路を抜かして並べ替えを行う。これにより、処理部８は、ガーディング候補点出力処理を完了する。なお、本例のように、電流計接続点およびガーディング候補点についての情報をインピーダンスと共に出力する構成においては、出力されたインピーダンスを比較することにより、電流の回り込みの大きい回り込み回路についての電流計接続点およびガーディング候補点を容易に特定することができる。このため、インピーダンスも併せて出力する構成では、上記の並べ替え処理を実行しない構成を採用することもできる。また、インピーダンスに基づく並べ替え処理を実行する構成では、並べ替えを小さい順および大きい順のいずれで実行するのかを予め規定しておくか、または「小さい順」または「大きい順」を示す文字や記号を併せて出力することにより、並べられた電流計接続点およびガーディング候補点の列の先端側および後端側のいずれが最もインピーダンスの小さい回り込み回路についてのものなのかを認識できるため、インピーダンスを出力（表示）しない構成を採用することもできる。
【００４２】
なお、ステップ１０２でのカウントの結果、回路数が１個のときには、複数のときとは異なり、インピーダンス順での並べ替えは不要である。このため、処理部８は、インピーダンス算出処理（ステップ１０３）を実行せずに、ガーディング候補点特定処理（ステップ１０４）を実行した後に出力処理（ステップ１０５）に移行し、この１つの回り込み回路についてのガーディング候補点を表示部７に表示させて、ガーディング候補点出力処理を終了する。
【００４３】
次に、検査装置１を使用して検査対象体２２の電気的特性を測定する測定処理について説明する。
【００４４】
上記したように、表示部７には、インピーダンスの低い順で、各回り込み回路についての電流計接続点およびガーディング候補点がインピーダンスと共に表示されている。このため、オペレータは、検査対象体２２の電気的特性を測定する際に、表示部７に表示されている情報に基づき、１番目の電流計接続点（端子番号Ｐ０−１）およびガーディング候補点（端子番号Ｐ６−２）の組を選択することにより、定電流Ｉ１の流入（回り込み）の最も大きいと考えられる回り込み回路、つまりガーディング電圧Ｖ２を供給（印加）すべきガーディング候補点（ガーディング点）を含む回り込み回路（本例では回り込み回路ＬＰ３）を容易に特定することができる。
【００４５】
オペレータは、このインピーダンスの最も小さい回り込み回路ＬＰ３に対応する電流計接続点（検査対象体２２の一方の端子）に出力プローブ１１を接続し、検査対象体２２の他方の端子にリターンプローブ１２を接続する。また、ガーディングプローブ１３をガーディング候補点に接続し、一対の電圧検出プローブ１４，１５を検査対象体２２の各端子に接続する。本例では、インピーダンスの最も小さい回り込み回路は回り込み回路ＬＰ３であるから、図１に示すように、この回り込み回路ＬＰ３についてのガーディング候補点（端子番号Ｐ６−２）にガーディングプローブ１３を接続する。また、本例では、検査装置１には電流計は存在しないが、電流供給部２が電流値については既知の定電流Ｉ１を生成して検査対象体２２に供給し、この定電流Ｉ１がすべて検査対象体２２に流れるものとして検査対象体２２の電気的特性を測定する構成のため、電流供給部２が一種の電流計として機能している。このため、図１に示すように、電流供給部２の出力プローブ１１を電流計接続点（端子番号Ｐ０−１）に接続する。一方、電流供給部２が電流値については未知の定電流Ｉ１を生成して検査対象体２２に供給する構成では、出力プローブ１１および演算増幅器３ａの接続点と電流供給部２との間、または電流供給部２とグランド電位との間に電流計を接続する。
【００４６】
次いで、オペレータが、操作部６を操作して測定指示Ｄｍを処理部８に出力する。これにより、処理部８は、電流供給部２に対して定電流Ｉ１の出力を開始させる。また、処理部８は、検査対象体２２の電気的特性（インピーダンスＺ）を測定する測定処理を開始する。一方、電圧測定部４は、電流計接続点（端子番号Ｐ０−１）への定電流Ｉ１に起因して検査対象体２２の両端に発生する電圧Ｖ３を電圧検出プローブ１４，１５を介して検出し、検出した電圧Ｖ３の電圧値Ｄ１を処理部８に出力する。このため、処理部８は、この電圧Ｖ３の電圧値Ｄ１と、定電流Ｉ１の既知の電流値とに基づいて、検査対象体２２（抵抗Ｐ０）のインピーダンスＺ（抵抗値）を算出し、算出したインピーダンスＺを出力情報Ｄｏとして表示部７に出力する。これにより、検査対象体２２のインピーダンスＺを測定する測定処理が完了する。
【００４７】
この際に、ガーディングプローブ１３を介してガーディング候補点（端子番号Ｐ６−２）に供給されているガーディング電圧Ｖ２は、出力プローブ１１の電圧Ｖ１と同一の電圧値となるようにガーディング部３によって維持されている。したがって、抵抗Ｐ６の両端子が同電位となり、これにより、回り込み回路ＬＰ３への定電流Ｉ１の流入（回り込み）が阻止される。このようにして、各回り込み回路ＬＰ１〜ＬＰ３のうちで最もインピーダンスが小さいために検査対象体２２についての電気的特性の測定に際して最も影響を与える可能性の高い回り込み回路ＬＰ３への定電流Ｉ１の流入（回り込み）が阻止されることにより、定電流Ｉ１の一部が電流Ｉ２，Ｉ４として他の回り込み回路ＬＰ１，ＬＰ２に若干は流入するものの、回り込み回路ＬＰ３にも流入するのと比較して、回り込み回路ＬＰ１〜ＬＰ３全体への定電流Ｉ１の分流が大幅に低減されている。このため、上記の測定処理において、検査対象体２２に流れる電流Ｉ３が定電流Ｉ１と等しいとして検査対象体２２のインピーダンスＺを測定したときであっても、ある程度正確にインピーダンスＺが測定される。
【００４８】
また、処理部８が、回り込み回路ＬＰ３についての電流計接続点を端子番号Ｐ０−１に特定すると共に、ガーディング候補点を抵抗Ｐ６の端子（端子番号Ｐ６−２）に特定したことにより、電流計接続点を検査対象体２２の他の端子番号Ｐ０−２に特定すると共にガーディング候補点を抵抗Ｐ９の端子（端子番号Ｐ９−１）に特定するのと比較して、ガーディング部３の負荷が低減される。具体的には、ガーディング部３がガーディング候補点（端子番号Ｐ６−２）の電圧をガーディング電圧Ｖ２（＝Ｖ１）に維持する際に、ガーディング部３からガーディング候補点（端子番号Ｐ６−２）を介して回り込み回路ＬＰ３に供給される電流Ｉ５が流れる経路に位置している抵抗（つまりガーディング部３の負荷）は、後者のときには、抵抗Ｐ６，Ｐ７，Ｐ８であってその合計抵抗値が１８Ωとなる。これに対して、前者のときには、抵抗Ｐ７，Ｐ８，Ｐ９であってその合計抵抗値が２３Ωとなる。このため、ガーディング部３の負荷が低減されている。
【００４９】
なお、引き続き、ガーディング電圧Ｖ２を供給する回り込み回路を変更して検査対象体２２の電気的特性を測定するときには、表示部７の表示内容（図４参照）に基づき、２番目の電流計接続点（端子番号Ｐ０−１）およびガーディング候補点（端子番号Ｐ１−２）の組を選択して、出力プローブ１１、リターンプローブ１２およびガーディングプローブ１３の接続位置を変更する。この場合、電流計接続点（端子番号Ｐ０−１）は、回り込み回路ＬＰ３のときと変わらないため、出力プローブ１１およびリターンプローブ１２はその状態のままに維持する。一方、ガーディングプローブ１３は新たなガーディング候補点（端子番号Ｐ１−２）に接続し直す。また、さらにガーディング電圧Ｖ２を供給する回り込み回路を変更するときには、表示部７の表示内容（図４参照）に基づき、３番目の電流計接続点（端子番号Ｐ０−２）およびガーディング候補点（端子番号Ｐ５−１）の組を選択して、出力プローブ１１、リターンプローブ１２およびガーディングプローブ１３の接続位置を変更する。この場合には、出力プローブ１１およびリターンプローブ１２の接続位置を入れ換える。また、ガーディングプローブ１３については新たなガーディング候補点（端子番号Ｐ５−１）に接続し直す。
【００５０】
これらいずれの場合においても、表示部７の表示内容（図４参照）に基づいて、電流計接続点およびガーディング候補点を選択して、出力プローブ１１、リターンプローブ１２およびガーディングプローブ１３の接続点を特定することにより、ガーディング部３の負荷を軽減しつつ、ガーディングプローブ１３によってガーディング電圧Ｖ２が供給される回り込み回路への定電流Ｉ１の流入を阻止した状態で、検査対象体２２のインピーダンスＺを測定することができる。
【００５１】
このように、この検査装置１によれば、処理部８が、検査対象体２２と並列関係にある回り込み回路ＬＰ１〜ＬＰ３を探索すると共に、回り込み回路が複数あるときに探索した回り込み回路ＬＰ１〜ＬＰ３のインピーダンスを部品番号Ｄｐに基づいて算出し、探索した各回り込み回路ＬＰ１，ＬＰ２，ＬＰ３に複数の電気部品が含まれているときに電気的諸元から求まる電気部品のインピーダンスに基づいてガーディング候補点（Ｐ１−２，Ｐ５−１，Ｐ６−２）を回り込み回路ＬＰ１，ＬＰ２，ＬＰ３毎に特定することにより、例えばインピーダンスが最も小さい回り込み回路ＬＰ３のガーディング候補点（端子番号Ｐ６−２）を選択することで、検査対象体２２の検査に対して一層多くの影響を与える回り込み回路ＬＰ３のガーディング候補点（端子番号Ｐ６−２）を正確、かつ短時間で特定することができる。したがって、この特定したガーディング候補点（端子番号Ｐ６−２）にガーディング電圧Ｖ２を供給することにより、この特定したガーディング候補点（端子番号Ｐ６−２）を含む回り込み回路ＬＰ３への定電流Ｉ１の流入（回り込み）を阻止できるため、検査対象体２２の電気的特性（インピーダンスＺ）をより正確、かつ短時間で測定することができ、ひいては回路基板２１に対する検査を正確、かつ短時間で実行することができる。
【００５２】
また、この検査装置１によれば、探索した各回り込み回路に複数の電気部品が含まれているときに、処理部８が、電気部品のインピーダンスに基づいてガーディング候補点を特定することにより、ガーディング候補点にガーディング電圧Ｖ２を供給する（ガーディング候補点をガーディング電圧Ｖ２に維持する）ガーディング部３の負荷がより軽くなる点をガーディング候補点として特定することができる。このため、例えば定格出力電流（定格シンク／ソース電流）の小さい安価な電子部品（一例として演算増幅器）を使用してガーディング部３を構成できる結果、ガーディング部３のコストを低減することができ、ひいては検査装置１全体のコストを低減することができる。
【００５３】
また、この検査装置１によれば、処理部８が、ガーディング候補点特定処理において、各回り込み回路ＬＰ１〜ＬＰ３について検査対象体２２の各端子（端子番号Ｐ０−１，Ｐ０−２で示される各端子）に接続されている２つの電気部品のうちのインピーダンスの小さい一方の電気部品が接続されている検査対象体２２の端子を電流計接続点として特定すると共に、一方の電気部品における検査対象体２２に非接続の端子をガーディング候補点として特定することにより、オペレータは、ガーディング候補点にガーディング電圧Ｖ２を供給するガーディング部３の負荷が最も軽くなる点、つまりガーディング候補点を含む回り込み回路へのガーディング部３からの供給電流（電流Ｉ５）の電流値を常に最小にできる点をガーディング候補点として特定することができる。
【００５４】
また、この検査装置１によれば、電流計接続点に所定の電流（一例として電流値が既知の定電流Ｉ１）を供給する電流供給部２と、検査対象体２２の両端間電圧を測定する電圧測定部４と、入力端子に印加されている電圧と同じ電圧を出力端子から出力する機能を有し、その入力端子が電流計接続点に接続されると共にその出力端子がガーディング候補点に接続可能に構成されたガーディング部３とを備えたことにより、処理部８によって特定された各回り込み回路ＬＰ１〜ＬＰ３の電流計接続点およびガーディング候補点についての情報に基づき、他の装置を別途用意することなく、検査装置１単体で、電流供給部２から検査対象体２２に対して定電流Ｉ１を供給し、かつ検査対象体２２のインピーダンスＺの測定に与える影響のより大きな回り込み回路へのこの定電流Ｉ１の流入（回り込み）を防止しつつ、この定電流Ｉ１の電流値と電圧測定部４で測定した検査対象体２２の両端間電圧（電圧Ｖ３）とに基づいて、検査対象体２２に所定の電流（一例として定電流）の供給時におけるインピーダンスＺを測定することができる。また、電流供給部２で生成された定電流Ｉ１をより多く検査対象体２２に供給することができる結果、電流供給部２によって生成された定電流Ｉ１が検査対象体２２に流れる電流であるとみなしたとしても、検査対象体２２のインピーダンスＺをより正確に測定することができる。したがって、検査対象体２２に流れる電流Ｉ３を測定するための電流計を備えることなく簡易に構成することができる結果、検査装置１のコストを十分に低減することができる。
【００５５】
なお、本発明は、上記の構成に限定されない。例えば、検査装置１では、上記したように、電流供給部２によって生成される定電流Ｉ１の電流値が既知であるとして、この既知の電流値等を用いて検査対象体２２のインピーダンスＺを算出することで、電流計を不要とする構成を採用しているが、電流供給部２によって生成される定電流Ｉ１の電流値が未知のときには、例えば、図１に示す検査装置１において、電流供給部２の出力プローブ１１側に電流供給部２と直列に電流計を配設する構成や、電流供給部２のグランド電位側に電流供給部２と直列に電流計を配設する構成を採用することもできる。この構成では、この電流計を用いて、電流計接続点（端子番号Ｐ０−１）に流れる電流の電流値を測定する。
【００５６】
また、上記した検査装置１では、電流供給部２を電流計として用いたり、電流供給部２側に電流計を配設したりして、電流計接続点としての検査対象体２２の一方の端子（端子番号Ｐ０−１）側に電流供給部２（および電流計）を配設する構成を採用しているが、図５に示す検査装置１Ａのように、検査対象体２２の他方の端子（本発明における一方の電気部品に非接続の端子：端子番号Ｐ０−２）側に電流供給部２を接続する構成を採用することもできる。以下、検査装置１Ａの構成について同図を参照して説明する。なお、検査装置１と同一の構成については同一の符号を付して重複する説明を省略する。
【００５７】
検査装置１Ａは、電流供給部２、ガーディング部３、電圧測定部４、記憶部５、操作部６、表示部７、処理部８および電流計（電流測定部）９を備えている。この場合、電流計９は、リターンプローブ１２とグランド電位との間に配設されている。また、電流計９は、リターンプローブ１２（電流計接続点）を流れる電流の電流値Ｄ４を検出して処理部８に出力する。ガーディング部３は、その入力端子がリターンプローブ１２に接続されている。一方、検査装置１Ａの検査対象となる回路基板２１は、図１に示す回路基板２１と同一のものであるが、説明の理解を容易にするため、回り込み回路ＬＰ３以外の回り込み回路ＬＰ１，ＬＰ２については記載を省略している。
【００５８】
この検査装置１Ａにおいても、検査対象体２２を回路基板２１の抵抗Ｐ０としたときには、回路基板２１が同じであるため、処理部８がガーディング候補点出力処理を行うことにより、検査装置１と同様にして、電流計接続点およびガーディング候補点の情報が図４に示すように表示部７に表示される。このため、オペレータは、表示部７に表示されている情報に基づき、定電流Ｉ１の流入（回り込み）の最も大きいと考えられる回り込み回路（インピーダンスが最小となる回り込み回路）、つまりガーディング電圧Ｖ２を供給すべき回り込み回路ＬＰ３についての電流計接続点およびガーディング候補点を正確、かつ短時間で特定することができる。
【００５９】
また、オペレータは、表示部７に表示されている電流計接続点およびガーディング候補点のうちの、インピーダンスの最も小さい回り込み回路ＬＰ３に対応する電流計接続点（端子番号Ｐ０−１）に電流計９の接続されたリターンプローブ１２を接続し、ガーディング候補点（端子番号Ｐ６−２）にガーディングプローブ１３を接続し、さらに検査対象体２２における電流計９が接続される端子（電流計接続点）とは異なる端子（端子番号Ｐ０−２）に出力プローブ１１を接続する。これにより、検査装置１と同様にして、ガーディング候補点（端子番号Ｐ６−２）には、ガーディング部３から電流計接続点の電圧Ｖ４と同一電圧のガーディング電圧Ｖ２が供給されるため、この特定したガーディング候補点を含む回り込み回路ＬＰ３への定電流Ｉ１の流入（回り込み）を阻止しつつ、検査対象体２２のインピーダンスＺを測定することができる。また、図５に示すように、検査装置１Ａにおいても、検査装置１と同様にして、回り込み回路ＬＰ３における電流Ｉ５が流れる経路に位置している抵抗（ガーディング部３の負荷）は、抵抗Ｐ７，Ｐ８，Ｐ９であってその合計抵抗値が２３Ωとなるため、ガーディング部３の負荷を低減することができる。
【００６０】
なお、引き続き、ガーディング電圧Ｖ２を供給する回り込み回路を変更して検査対象体２２の電気的特性を測定するときには、表示部７の表示内容（図４参照）に基づき、次の電流計接続点にリターンプローブ１２を接続し、それに対応する次のガーディング候補点にガーディングプローブ１３を接続し、さらに電流計接続点となっていない検査対象体２２の他の端子に出力プローブ１１を接続する。これにより、上記した回り込み回路ＬＰ３のときと同様にして、ガーディング候補点を含む回り込み回路への定電流Ｉ１の流入（回り込み）を阻止しつつ、検査対象体２２のインピーダンスＺを測定することができる
【００６１】
また、上記の検査装置１，１Ａでは、所定の電流（定電流Ｉ１）を流した状態で検査対象体２２の電気的特性を測定しているが、図６，７に示す検査装置１Ｂ，１Ｃのように、所定の電圧（定電圧）を印加した状態で検査対象体２２の電気的特性を測定する構成を採用することもできる。なお、検査装置１Ｂ，１Ｃの検査対象となる回路基板２１は、図１に示されている回路基板２１と同一であるが、説明の理解を容易にするため、図６，７においては、回り込み回路ＬＰ３以外の回り込み回路ＬＰ１，ＬＰ２については記載を省略している。
【００６２】
まず、検査装置１Ｂについて説明する。なお、検査装置１Ａと同一の構成については同一の符号を付して重複する説明を省略する。この検査装置１Ｂは、図６に示すように、電圧供給部１０、ガーディング部３、記憶部５、操作部６、表示部７、処理部８および電流計９を備えている。この場合、電圧供給部１０は、処理部８の制御下で、電圧値が既知の定電圧Ｖ５を生成する。また、電圧供給部１０には、出力プローブ１１が接続されている。
【００６３】
検査装置１Ｂにおいても、検査対象体２２を回路基板２１の抵抗Ｐ０としたときには、回路基板２１が同じであるため、処理部８がガーディング候補点出力処理を行うことにより、検査装置１と同様にして、電流計接続点およびガーディング候補点の情報が図４に示すように表示部７に表示される。このため、オペレータは、表示部７に表示されている情報に基づき、電流Ｉ６の流入（回り込み）の最も大きいと考えられる回り込み回路、つまりガーディング電圧Ｖ２を供給すべき回り込み回路ＬＰ３についての電流計接続点およびガーディング候補点を正確、かつ短時間で特定することができる。
【００６４】
また、オペレータは、表示部７に表示されている電流計接続点およびガーディング候補点についての情報に基づき、検査装置１Ａと同様にして、特定した電流計接続点（例えば、端子番号Ｐ０−１）にリターンプローブ１２を接続し、特定したガーディング候補点（例えば、端子番号Ｐ６−２）にガーディングプローブ１３を接続し、さらに検査対象体２２における電流計９が接続される端子（電流計接続点）とは異なる端子（端子番号Ｐ０−２）に出力プローブ１１を接続する。これにより、検査装置１Ａと同様にして、この特定したガーディング候補点を含む回り込み回路（一例として回り込み回路ＬＰ３）への電流Ｉ６の流入（回り込み）を阻止しつつ、検査対象体２２のインピーダンスＺを測定することができる。また、図６に示すように、検査装置１Ｂにおいても検査装置１Ａと同様にして、回り込み回路ＬＰ３における電流Ｉ５が流れる経路に位置している抵抗（ガーディング部３の負荷となる抵抗Ｐ７，Ｐ８，Ｐ９）の合計抵抗値を大きくできる結果、ガーディング部３の負荷を低減することができる。
【００６５】
なお、引き続き、ガーディング電圧Ｖ２を供給する回り込み回路を変更して検査対象体２２の電気的特性を測定するときには、上記した検査装置１Ａと同様にして、次の電流計接続点にリターンプローブ１２を接続し、それに対応する次のガーディング候補点にガーディングプローブ１３を接続し、さらに電流計接続点となっていない検査対象体２２の他の端子に出力プローブ１１を接続する。これにより、上記した回り込み回路ＬＰ３のときと同様にして、ガーディングプローブ１３を接続したガーディング候補点を含む回り込み回路への電流Ｉ６の流入（回り込み）を阻止しつつ、検査対象体２２のインピーダンスＺを測定することができる
【００６６】
次に、検査装置１Ｃについて説明する。なお、検査装置１Ｂと同一の構成については同一の符号を付して重複する説明を省略する。この検査装置１Ｃは、図７に示すように、電圧供給部１０、ガーディング部３、記憶部５、操作部６、表示部７、処理部８および電流計９を備えている。この場合、電流計９は、一例として、電圧供給部１０に対して直列に接続されている。また、出力プローブ１１は、電流計９に接続されている。また、ガーディング部３の入力端子は、出力プローブ１１に接続されている。また、リターンプローブ１２は、グランドに接続されている。
【００６７】
検査装置１Ｃにおいても、検査対象体２２を回路基板２１の抵抗Ｐ０としたときには、回路基板２１が同じであるため、処理部８がガーディング候補点出力処理を行うことにより、検査装置１と同様にして、電流計接続点およびガーディング候補点の情報が図４に示すように表示部７に表示される。このため、オペレータは、表示部７に表示されている情報に基づき、電流Ｉ６の流入（回り込み）の最も大きいと考えられる回り込み回路、つまりガーディング電圧Ｖ２を供給すべき回り込み回路ＬＰ３についての電流計接続点およびガーディング候補点を正確、かつ短時間で特定することができる。
【００６８】
また、オペレータは、表示部７に表示されている電流計接続点およびガーディング候補点についての情報に基づき、特定した電流計接続点（例えば、端子番号Ｐ０−１）に出力プローブ１１を接続し、特定したガーディング候補点（例えば、端子番号Ｐ６−２）にガーディングプローブ１３を接続し、さらに検査対象体２２における電流計９が接続される端子（電流計接続点）とは異なる端子（端子番号Ｐ０−２）にリターンプローブ１２を接続する。これにより、検査装置１と同様にして、ガーディング候補点（端子番号Ｐ６−２）には、ガーディング部３から電流計接続点の電圧Ｖ５と同一電圧のガーディング電圧Ｖ２が供給されるため、この特定したガーディング候補点（端子番号Ｐ６−２）を含む回り込み回路（一例として回り込み回路ＬＰ３）への電流Ｉ６の流入（回り込み）を阻止しつつ、検査対象体２２のインピーダンスＺを測定することができる。また、図７に示すように、検査装置１Ｃにおいても検査装置１Ａと同様にして、回り込み回路ＬＰ３における電流Ｉ５が流れる経路に位置している抵抗（ガーディング部３の負荷となる抵抗Ｐ７，Ｐ８，Ｐ９）の合計抵抗値を大きくできる結果、ガーディング部３の負荷を低減することができる。
【００６９】
なお、引き続き、ガーディング電圧Ｖ２を供給する回り込み回路を変更して検査対象体２２の電気的特性を測定するときには、上記した検査装置１と同様にして、次の電流計接続点に出力プローブ１１を接続し、それに対応する次のガーディング候補点にガーディングプローブ１３を接続し、検査対象体２２における電流計９が接続される端子（電流計接続点）とは異なる端子にリターンプローブ１２を接続することにより、上記した回り込み回路ＬＰ３のときと同様にして、ガーディングプローブ１３を接続したガーディング候補点を含む回り込み回路への電流Ｉ６の流入（回り込み）を阻止しつつ、検査対象体２２のインピーダンスＺを測定することができる。
【００７０】
また、上記の各検査装置１，１Ａ，１Ｂ，１Ｃに関して、回路基板に実装されている電気部品が抵抗のみの例を挙げて説明したが、コンデンサやコイルのときにも、電流供給部２が交流定電流を定電流Ｉ１として生成し、また電圧供給部１０が交流定電圧を定電圧として生成することにより、ガーディングプローブ１３を接続したガーディング候補点を含む回り込み回路への電流の流入（回り込み）を阻止しつつ、検査対象体２２のインピーダンスＺを測定することができる。
【００７１】
また、上記の各検査装置１，１Ａ，１Ｂ，１Ｃでは、処理部８が、特定した電流接続点およびガーディング候補点の情報を表示部７に出力（表示）する構成を採用したが、出力先は表示部７に限定されず、例えば、外部インターフェース回路を設けて装置外部の他の機器に出力させる構成を採用することもできる。
【図面の簡単な説明】
【００７２】
【図１】検査装置１および回路基板２１の構成を示す構成図である。
【図２】ガーディング候補点出力処理によって特定される回り込み回路および各回り込み回路についての回路情報等を示す説明図である。
【図３】ガーディング候補点出力処理のフローチャートである。
【図４】表示部７に表示される検査対象体２２（抵抗Ｐ０）に対する電流計接続点、ガーディング候補点（単に「候補点」と表示する）および各回り込み回路のインピーダンスを示す説明図である。
【図５】検査装置１Ａおよび回路基板２１の構成を示す構成図である。
【図６】検査装置１Ｂおよび回路基板２１の構成を示す構成図である。
【図７】検査装置１Ｃおよび回路基板２１の構成を示す構成図である。
【符号の説明】
【００７３】
１，１Ａ，１Ｂ，１Ｃ  検査装置
２  電流供給部
３  ガーディング部
４  電圧測定部
５  記憶部
６  操作部
７  表示部
８  処理部
２１  回路基板
２２  検査対象体
Ｄ２  部品情報
Ｄ３  配線情報
Ｄｐ  部品番号
ＬＰ１〜ＬＰ３  回り込み回路
Ｚ  インピーダンス
【図１】
0004731339.tif 000002
【図２】
0004731339.tif 000003
【図３】
0004731339.tif 000004
【図４】
0004731339.tif 000005
【図５】
0004731339.tif 000006
【図６】
0004731339.tif 000007
【図７】
0004731339.tif 000008